(57)【特許請求の範囲】
【請求項１】
紙を保持して走行する紙搬送手段と、紙の搬送経路上に複数個配設された排紙積載装置と、これら各排紙積載装置に設けられ排紙された紙を揃える紙揃え部材およびこの紙揃え部材を往復動させる往復動手段と、これら往復動手段間を連結する連結手段とを備え、前記往復動手段のうちの１つを印刷機の駆動と連結させ、前記連結手段を排紙フレームの外側に配設するとともに、この連結手段に前記各往復動手段間の位相を変える位相調整手段を設けたことを特徴とする枚葉印刷機の排紙装置における紙揃え装置。
【請求項２】
請求項１記載の枚葉印刷機の排紙装置における紙揃え装置において、連結手段を管とし、この管に一対の管継手部材を設けるとともに、これら管継手部材間の回転方向の位相を調整自在としたことを特徴とする枚葉印刷機の排紙装置における紙揃え装置。
【請求項３】
請求項１記載の枚葉印刷機の排紙装置における紙揃え装置において、連結手段をチェーンとし、このチェーンを張架するスプロケットと往復動手段の駆動軸との間の回転方向の位相を調整自在としたことを特徴とする枚葉印刷機の排紙装置における紙揃え装置。
【発明の詳細な説明】
【０００１】
【産業上の利用分野】
本発明は、枚葉印刷機の紙を搬送経路上にある複数の紙積台上へ紙端を揃えながら排出する排出装置における紙揃え装置に関する。
【０００２】
【従来の技術】
枚葉印刷機において、印刷ユニットで印刷された紙は、排紙チェーンの走行とともにこれに一定間隔で配設された爪にくわえられて搬送され、搬送終端部下方に設けられた紙積台の上方で爪から解放されて紙積台上に落下積層される。そして紙の落下経路には、紙の幅方向両端を揃えるための紙寄せ板が設けられており、この紙寄せ板は、紙の幅方向に往復動作している。したがって、紙積台上に排出される紙を揃えるためには、爪が紙を解放するタイミングに対して紙寄せ板の往復動作のタイミングを調整する必要がある。一方、印刷機の効率を高める等の目的から、排紙装置として紙の搬送経路上に複数個の紙積装置を設けたものがある。このように、搬送経路上に紙積装置を複数個設けたものでは、印刷紙の紙質や紙厚などが変わると上流側と下流側に位置する紙積装置では、爪から開放された後紙積台上へ落下する紙の挙動が変化するので紙放しタイミングに対する紙揃え部材の往復動作のタイミングが微妙に変化する。このため従来では、印刷動作に連動して回転するカム軸と、このカム軸に固定されカム軸の回転を紙寄せ板の往復動作に変えるカムとの間の固定を解き、カム軸に対してカムを回動させて調整を行っていた。
【０００３】
【発明が解決しようとする課題】
しかしながら、上述した従来のカム軸とカムとの間の調整は、装置内部に装着されたカム軸とカムとの間の固定を解いて行わなければならないため、複数個の紙積装置を備えた印刷機においては煩雑な作業となる。しかも、上述したように印刷紙の紙質などが変わると、上流側と下流側に位置する紙積装置では紙放しタイミングに対する紙揃え部材の往復動作のタイミングが微妙に変化するので、この場合には、その都度、各紙積装置毎に上述した煩雑な調整作業を行わなければならないため、準備時間が余計かかり生産性が悪いといった問題があった。
【０００４】
したがって、本発明は上記した従来の問題に鑑みてなされたものであり、その目的とするところは、調整の作業時間を短縮して生産性の向上を図った枚葉印刷機の排紙装置における紙揃え装置を提供することにある。
【０００５】
【課題を解決するための手段】
この目的を達成するために、本発明に係る枚葉印刷機の排紙装置における紙揃え装置は、紙を保持して走行する紙搬送手段と、紙の搬送経路上に複数個配設された排紙積載装置と、これら各排紙積載装置に設けられ排紙された紙を揃える紙揃え部材およびこの紙揃え部材を往復動させる往復動手段と、これら往復動手段間を連結する連結手段とを備え、前記往復動手段のうちの１つを印刷機の駆動と連結させ、前記連結手段を排紙フレームの外側に配設するとともに、この連結手段に前記各往復動手段間の位相を変える位相調整手段を設けたものである。
【０００６】
【作用】
本発明によれば、排紙フレームの外側に配設された位相調整手段により各往復手段間の位相を変えることにより、排紙積載装置の爪から解放されるタイミングに対する排紙積載装置の紙揃え部材のタイミングが調整される。
【０００７】
【実施例】
以下、本発明の一実施例を図に基づいて説明する。図１は本発明に係る枚葉印刷機の全体の概略を示す構成図、図２は本発明に係る枚葉印刷機の排紙装置における紙揃え装置の要部を示す側面図、図３は図２におけるＩＩＩ−ＩＩＩ  線断面図、図４は図２におけるＩＶ−ＩＶ  線断面図、図５は図４におけるＶ  矢視図、図６は図５におけるＶＩ  矢視図、図７は図６におけるＶＩＩ  矢視図、図８は図２におけるＶＩＩＩ−ＶＩＩＩ  線断面図、図９は図８におけるＩＸ  矢視図である。
【０００８】
これらの図において、全体を符号１で示す枚葉印刷機は、印刷ユニット２と排紙装置３とを備えている。印刷ユニット２と排紙装置３との間には排紙胴（図示せず）と同軸上にスプロケット４が軸着され、このスプロケット４と排紙フレーム５に軸架された駆動軸１７上のスプロケット６との間には矢印Ａ方向に走行する左右一対の排紙チェーン７が張架されている。左右の排紙チェーン７の間には走行方向に一定間隔をおいて支架された爪竿に爪と爪台とから構成される紙くわえ爪８が設けられており、印刷後の紙９をくわえて排紙チェーン７の走行とともにこれを搬送するように構成されている。
【０００９】
排紙装置３には、排紙チェーン７の走行方向に沿って２つの排紙パイル、すなわち第１および第２の排紙パイル１０，１１が備えられている。これら排紙パイル１０，１１のそれぞれには、紙くわえ爪８から解放され落下する紙９を積載する紙積台１２と、この紙積台１２に紙９が積載されるにしたがって紙積台１２を自動的に降下させる昇降チェーン１３と、紙積台１２に落下した紙９の幅方向の紙端を揃える横寄せ装置１４と、紙９の前端に当接させて紙端を揃える前当１５とが備えられている。
【００１０】
図３に示すように、前記スプロケット６が軸着された紙寄せ用の駆動軸１７は、排紙フレーム５に設けられた軸受１６に回転自在に支持され、この紙寄せ用の駆動軸１７の排紙フレーム５の外側に突出した端部にはスプロケット１８が軸着されている。１９は排紙フレーム５に設けられた軸受２０に回転自在に支持された軸２１に軸着されたスプロケットであって、前記スプロケット１８との間にチェーン２２が張架されている。２３は軸２１に軸着された傘歯車でスプロケット１９と一体的に回転する。２４はチェーン２２にテンションを付与するスプロケットである。
【００１１】
２５は前記傘歯車２３と噛合する傘歯車であって、排紙フレーム５に沿って前方に延在し、排紙フレーム５に取り付けられた軸受部材２６ａに回転自在に支持された連結軸２６の端部に軸着されている。２７は連結軸２６と同軸上に並設され後述する軸継手６０により連結軸２６に連結された連結軸である。２８は連結軸２７の端部に軸着された傘歯車、３０は傘歯車２８と噛合し、軸２９の一端に軸着された傘歯車、３１は軸２９の他端に軸着された傘歯車である。３２は傘歯車３１と噛合する傘歯車であって、この傘歯車３２を一端に軸着した紙寄せ用の駆動軸３３は、左右の排紙フレーム５，５間に軸受３４，３４により回転自在に横架されている。
【００１２】
この紙寄せ用の駆動軸３３の左右の排紙フレーム５，５に近接した部位には、図５に示すようにカム３５が軸着されている。３６はフレーム５に枢着されたスタッド３７の貫通孔に摺動自在に支持された押圧棒であって、この押圧棒３６の頭部とスタッド３７との間に嵌装された圧縮コイルばね３８によってカム３５の中心方向に突出する習性が付与されている。この押圧棒３６の頭部には、前記カム３５に対接するカムフォロア４０を枢着したレバー３９の揺動端が枢着されている。このレバー３９の基端は、排紙フレーム５に回動自在に支持された揺動軸４２にセグメントカム４１の一端とともに割締固定されている。セグメントカム４１の他端にはカム部４１ａが形成されている。
【００１３】
このカム部４１ａには、保持体４４の上面に枢着されたカムフォロア４３が対接している。４５は前述した横寄せ装置１４を構成する紙の幅方向の紙端を揃える紙寄せ板であって、取付部材４６を介して保持体４４に取り付けられて保持体４４と図６中Ｂ−Ｃ方向に一体的に移動する。４７は圧縮コイルばね（図示せず）が内蔵されたばね箱であって、排紙フレーム５に取り付けられたブラケット４８に固定されている。４９はばね箱４７に進退自在に支持され、ばね箱４７内の圧縮コイルばねにより進出する方向、すなわちＢ方向に付勢された支持部材である。この支持部材４９の一端に前記保持体４４が取り付けられており、保持体４４はカムフォロア４３がセグメントカム４１のカム部４１ａに押圧される方向に摺動習性が付与されている。
【００１４】
図６および図７に示すように前記揺動軸４２のフレーム５の外側への突出端部にはレバー５０の基端が割締固定されており、このレバー５０の揺動端には、ころ５０ａが枢着されている。５１は一端が前記ころ５０ａに対接したレバーであって、他端が排紙フレーム５に回動自在に支持された揺動軸５２にレバー５３の一端とともに割締固定されている。レバー５３の他端には、支持部材５４の一端が枢着され、支持部材５４の他端に形成した貫通孔に作動棒５５が摺動自在に支持されている。作動棒５５はその頭部と支持部材５４との間に介装された圧縮コイルばね５６によって突出する方向に付勢されている。この作動棒５５の頭部には、レバー５８の揺動端が枢着され、レバー５８の基端は前記前当１５が軸着されフレーム５に揺動自在に支持された揺動軸５７に軸着されている。５９は前当１５の揺動端限を規制するストッパである。
【００１５】
そして、これら第１パイル１０側に設けられた前当１５および横寄せ板４５を往復動作させるためのカム３５は、図３に示すように第２パイル１１の前記紙寄せ用の駆動軸１７にもスプロケット６の軸を介して軸着されている。さらに、この駆動軸１７側には、駆動軸３３側に設けられたカムフォロア４０、セグメントカム４１等と同一の構成が設けられており、これらの構成によって第２パイル１１側に設けられた前当１５および横寄せ板４５を往復動作させる。
【００１６】
前記連結軸２６，２７間には、軸継手６０が設けられている。すなわち、連結軸２７の端部には、軸継手部材６１が回転方向の動きが規制された状態で嵌挿され、連結軸２６の端部には、軸継手部材６２が回転方向の動きが規制された状態で嵌挿されている。軸継手部材６１の端面には、回動角１２０°の等間隔をおいた位置に３個のねじ孔６１ａが形成されている。軸継手６２の端面には、前記軸継手部材６１のねじ孔６１ａに対応して３個の取付孔６２ａが形成されている。この取付孔６２ａは周方向に円弧状の長孔に形成されている。
【００１７】
前記連結軸２７の両端にはねじ部が形成され、この連結軸２７に傘歯車２８、軸受スリーブ６５および軸継手部材６１を嵌挿し、両端のねじ部にナット６６を螺合させることにより、軸継手部材６１の軸方向の動きが規制され、連結軸２７に固定される。軸継手部材６２の取付孔６２ａからボルト６３を挿通させ軸継手部材６１のねじ孔６１ａに螺合させることにより、軸継手部材６１と軸継手部材６２とが一体化され、これにより連結軸２６と連結軸２７とが一体的に回転することとなる。
【００１８】
次に、このような構成において、各パイル、すなわち第１パイル１０，第２パイル１１において、紙寄せ板４５および前当１５の往復動作のタイミングと紙くわえ爪８から解放されて落下する紙９とのタイミングを調整する方法を説明する。まず、排紙走行チェーン７の走行に直接連結された第２パイル１１において、駆動軸１７に軸着されたスプロケット６の軸からカム３５の固定を解き、カム３５を駆動軸１７の周りを回動させて、駆動軸１７に対するカム３５の回動方向の位相を変えることにより、紙くわえ爪８から解放されて落下する紙９とのタイミングを調整する。
【００１９】
このように第２パイル１１側の調整が終了したら、次に第１パイル１０側の紙寄せ板４５および前当１５の往復動作と紙くわえ爪８から解放されて落下する紙９とのタイミングを調整する。すなわち、軸継手６０における軸継手部材６１，６２を締結している３個のボルト６３を緩めて、両継手部材６１，６２の締結を解除する。しかるのち、第２パイル１１側の軸継手部材６２の回転を規制しながら、第１パイル１０側の軸継手部材６１を回動させて連結軸２７を回動させ、これに連動する紙寄せ用の駆動軸３３を回動させた後、ボルト６３を固定する。これによって紙放しのタイミングに対する最適な紙揃え部材の往復動作のタイミングが得られる。
【００２０】
このように軸継手部材６１を軸継手部材６２に対して回動させることにより、軸継手部材６１に対する軸継手部材６２の回転方向の位相が変わり、第１パイル１０側のカム３５も回動してカム３５の駆動側の連結軸２６に対する回転方向の位相が変わる。これにより、第１パイル１０の紙寄せ板４５および前当１５の往復動作と紙くわえ爪８から解放されて落下する紙９とのタイミングが調整されることとなる。調整が終了したらボルト６３をねじ孔６１ａに螺合させて、両軸継手部材６１，６２を締結する。このように、排紙フレーム５の外部に配設された軸継手６０により調整が可能なので、従来のように排紙フレーム５の内部に配設されたカム３５を紙寄せ用の駆動軸３３から取り外す必要がなくなり、煩雑な作業が除去できて作業性が向上する。
【００２１】
このような第１パイル１０側での調整作業は、第１パイル１０および第２パイル１１に積載される紙のサイズ、質、厚さあるいは印刷の条件、すなわち印刷の速度、絵柄等に変更が生じて、第１パイル１０側と第２パイル１１側とでの紙放しのタイミングに対する紙揃え部材の往復動作のタイミングが微妙に変化した場合にも行われる。すなわち、この場合にもまず、第２パイル１１の紙寄せ用の駆動軸１７のカム３５の回転方向の位相を変えて、第２パイル１１側の調整を行う。しかるのち、上述した軸継手６０による位相調整により、第１パイル１０側の調整を行い、第１パイル１０のカム３５の第２パイル１１のカム３５に対する回転方向の位相を変えることによって行う。
また、第１パイル１０のみを使用する場合には、軸継手６０による調整のみによって第１パイル１０の紙寄せ板４５および前当１５の往復動作と紙くわえ爪８から解放されて落下する紙９とのタイミングを調整する。
【００２２】
次に、このような構成において、紙の紙端を揃える動作を説明する。このように調整後、印刷作業を開始する。なお、第２パイル１１における紙９の紙端を揃える動作と第１パイル１０における紙９の紙端を揃える動作とは同じ動作なので、ここでは第１パイル１０で紙を積載する場合を説明する。印刷作業を開始すると、紙寄せ用の駆動軸１７が回転してスプロケット１８が回転し、排紙チェーン７が走行するので、印刷ユニット２で印刷された紙９は、走行する排紙チェーン７の紙くわえ爪８でくわえられて１枚づつ搬送され、第１パイル１０の上方に配置されたカム機構（図示せず）により紙くわえ爪８のくわえが解放されて、紙積台１２上に落下する。
【００２３】
スプロケット１８の回転は、チェーン２２を介して傘歯車１９に伝達され、傘歯車２３および傘歯車２５を介して連結軸２６に伝達され、軸継手６０を介して傘歯車２８、傘歯車３０、さらに傘歯車３１および傘歯車３２を介し紙寄せ用の駆動軸３３に伝達される。紙寄せ用の駆動軸３３の回転にともない、カム３５が回転し、カム３５に対接されたカムフォロア４０を介してレバー３９が揺動軸４２を揺動中心として揺動し、セグメントカム４１も揺動軸４２を揺動中心として揺動する。
【００２４】
このセグメントカム４１の揺動動作により、カム面４１ａに対接しているカムフォロア４３がＢ−Ｃ方向に往復動するので、保持体４４および取付部材４６を介して紙寄せ板４５がＢ−Ｃ方向に往復動して、紙積台１２に落下する紙９の幅方向の紙端が揃えられる。同時に、レバー３９の揺動動作により、ころ５０に対接しているレバー５１が揺動軸５２を揺動中心として揺動し、レバー５３も揺動する。これにより、支持部材５４がＤ−Ｅ方向に往復動し、圧縮コイルばね５６によって支持部材５４に保持されている作動棒５５もＤ−Ｅ方向に往復動するので、前当１５が揺動軸５７を揺動中心として揺動し、紙積台１２に落下する紙９の紙端が揃えられる。
【００２５】
図１０および図１１は本発明の第２の実施例を示し、図１０は側面図、図１１は図１０におけるＸＩ−ＸＩ  線断面図である。この第２の実施例では、紙寄せ用の駆動軸１７の回転を紙寄せ用の駆動軸３３に伝達するのにチェーン７１，７２を用いている。紙寄せ用の駆動軸３３には、スプロケット７４が軸着され、このスプロケット７４と排紙フレーム５に軸支されたスプロケット７０との間にはチェーン７２が張架され、スプロケット７０とスプロケット１９との間にはチェーン７１が張架されている。７３は排紙フレーム５に上下に移動可能に取り付けられ、チェーン７１にテンションを付与するテンションスプロケットである。
【００２６】
前記スプロケット７４の端面には、周方向に円弧状に形成された長孔の取付孔７４ａが穿設されている。７６は紙寄せ用の駆動軸３３に軸着されたフランジ部材であって、前記取付孔７４ａに対応して端面にねじ孔７６ａが周方向に３個形成されている。スプロケット７４をフランジ部材７６に重ね合わせて、取付孔７４ａにボルト７５を挿通させねじ孔７６ａに螺合することにより、スプロケット７４はフランジ部材７６に固定されてフランジ部材７６を介して紙寄せ用の駆動軸３３に軸着されている。
【００２７】
このような構成において、印刷作業が開始されると、紙寄せ用の駆動軸１７の回転がチェーン２２、チェーン７１およびチェーン７２を介して紙寄せ用の駆動軸３３に伝達され、カム３５を回転させて、紙寄せ板４５および前当１５を往復動させる。そして、第１パイル１０の紙寄せ板４５および前当１５の往復動作と、紙くわえ爪８から解放されて落下する紙９とのタイミングを調整する必要が生じた場合には、ボルト７５を緩めてスプロケット７４とフランジ部７６との締結を解除する。しかるのち、スプロケット７４が回動しないように固定しながら、フランジ部材７６のみをスプロケット７４に対して回動させて紙寄せ用の駆動軸３３を回動させた後、ボルト７５を固定する。これによって紙放しのタイミングに対する最適な紙揃え部材の往復動作のタイミングが得られる。
【００２８】
このようにスプロケット７４に対してフランジ部材７６を回動させることにより、フランジ部材７６のスプロケット７４に対する回転方向の位相が変わり、第１パイル１０のカム３５も回動してカム３５が排紙チェーン７の走行に連動して回転する紙寄せ用の駆動軸１７に対して回動方向の位相が変わる。これにより、第１パイル１０の紙寄せ板４５および前当１５の往復動作と紙くわえ爪８から解放されて落下する紙９とのタイミングが調整されることとなる。調整が終了したら、ボルト７５をねじ孔７６ａに螺合させ、スプロケット７４とフランジ部材７６とを締結する。
【００２９】
なお、この第２の実施例では、スプロケット７４とフランジ部７６とを第１パイル１０の紙寄せ用の駆動軸３３に設けたが、これに限定されず、第２パイル１１の紙寄せ用の駆動軸１７に設けても、第１パイル１０の紙寄せ板４５および前当１５の往復動作と紙くわえ爪８から解放されて落下する紙９とのタイミングを調整することができる。
また、上記第１および第２の実施例とも、パイルの数を２個としたが、３個以上にも適用できることはいうまでのないことである。
【００３０】
【発明の効果】
以上説明したように本発明によれば、各排紙積載装置に設けられ排紙された紙を揃える紙揃え部材およびこの紙揃え部材を往復動させる往復動手段と、これら往復動手段間を連結する連結手段とを備え、前記往復動手段のうちの１つを印刷機の駆動に連結させ、前記連結手段を排紙フレームの外側に配設するとともに、この連結手段に前記各往復動手段間の位相を変える位相調整手段を設けたことにより、複数個の排紙積載装置のうち紙搬送手段の走行に連結させて駆動した排紙積載装置の往復動手段を組立時に調整した後は、他の排紙装置の往復動手段を、排紙フレームの外側に設けた位相調整手段によって個々に調整することができるので、調整が容易となり、調整時間を短縮することができ、生産性の向上を図ることができる。
【図面の簡単な説明】
【図１】本発明に係る枚葉印刷機の全体の概略を示す構成図である。
【図２】本発明に係る枚葉印刷機の排紙装置における紙揃え装置の側面図である。
【図３】図２におけるＩＩＩ−ＩＩＩ  線断面図である。
【図４】図２におけるＩＶ−ＩＶ  線断面図である。
【図５】図４におけるＶ  矢視図である。
【図６】図５におけるＶＩ  矢視図である。
【図７】図６におけるＶＩＩ  矢視図である。
【図８】図２におけるＶＩＩＩ−ＶＩＩＩ  線断面図である。
【図９】図８におけるＩＸ  矢視図である。
【図１０】本発明に係る枚葉印刷機の排紙装置における紙揃え装置の第２の実施例を示す側面図である。
【図１１】図１０におけるＸＩ−ＸＩ  線断面図である。
【符号の説明】
１…枚葉印刷機、３…排紙装置、７…排紙チェーン、８…紙くわえ爪、９…紙、１０…第１パイル、１１…第２パイル、１４…横寄せ装置、１５…前当、１７，３３…紙寄せ用の駆動軸、２２，７１，７２…チェーン、２６，２７…連結軸、３５…カム、４５…紙寄せ板、６０…軸継手、６１，６２…軸継手部材、６２ａ…取付孔、６３…ボルト、７４…スプロケット、７４ａ…取付孔、７６…フランジ部材。
【図１】
0003585995.tif 000002
【図２】
0003585995.tif 000003
【図３】
0003585995.tif 000004
【図４】
0003585995.tif 000005
【図５】
0003585995.tif 000006
【図６】
0003585995.tif 000007
【図７】
0003585995.tif 000008
【図８】
0003585995.tif 000009
【図９】
0003585995.tif 000010
【図１０】
0003585995.tif 000011
【図１１】
0003585995.tif 000012